(57)【要約】【課題】本発明の目的は、植物の光合成の状態に合わせて、最適な二酸化炭素の供給量の制御を行うことができる二酸化炭素施肥装置を提供する。【解決手段】植物２３の葉脈部３４と葉身部Ａとの温度差と時刻とに基づいて、植物２３の光合成の状態を判定し、農業施設内の温度と植物２３の葉温との温度差に基づいて植物２３の光合成の速度を判定し、判定した植物２３の光合成の速度を指標として、植物２３の光合成の状態に基づいて、植物２３を生育させる農業施設内への二酸化炭素の供給量を制御する二酸化炭素施肥装置。【選択図】図２
2018117539.tif 000002
【特許請求の範囲】
【請求項１】
植物の葉脈部と葉身部との温度差に基づいて、前記植物の光合成の状態を判定し、
前記植物の光合成の状態に基づいて、前記植物を生育させる施設内への二酸化炭素の供給量を制御する二酸化炭素施肥装置。
【請求項２】
前記施設内の温度と前記植物の葉温との温度差に基づいて、前記植物の光合成の速度を判定し、
時刻に基づいて前記植物の光合成の状態を判定し、
前記植物の光合成の速度を指標として、
前記植物の光合成の状態に基づいて、前記植物を生育させる施設内への二酸化炭素の供給量を制御する請求項１に記載の二酸化炭素施肥装置。
【請求項３】
エンジン発電機と、
前記エンジン発電機の廃熱回収手段と、
前記エンジン発電機の排気ガスの二酸化炭素分離手段と、を備えたエネルギー供給装置により二酸化炭素を供給する請求項１または請求項２に記載の二酸化炭素施肥装置。
【請求項４】
前記植物の生育状態に応じて、前記葉脈部と葉身部との温度差を計測する対象の葉を変更する請求項１から請求項３のいずれか一項に記載の二酸化炭素施肥装置。
【発明の詳細な説明】
【技術分野】
【０００１】
本発明は、二酸化炭素施肥装置に関する。詳しくは、植物を生育させる施設の二酸化炭素施肥装置に関する。
【背景技術】
【０００２】
従来、植物の光合成の基質として二酸化炭素があり、光合成の速度は二酸化炭素の濃度に影響を受ける。光合成に必要な二酸化炭素が不足する場合、光合成の速度が減少する。農産物生産において、二酸化炭素を植物へ施肥して二酸化炭素の濃度を高く保ち、光合成の速度を増大させ、生育を促進することで収量増加および品質向上を達成することを二酸化炭素施肥という。二酸化炭素施肥技術として、植物の葉の近傍に十分な二酸化炭素を供給できる二酸化炭素マイクロバブル含有水供給方法および二酸化炭素マイクロバブル含有水供給装置が知られている。例えば、特許文献１に記載の如くである。
【０００３】
特許文献１に記載の二酸化炭素マイクロバブル含有水供給方法は、マイクロバブル発生装置に二酸化炭素と水とを導入して二酸化炭素マイクロバブル含有水を生成し、この二酸化炭素マイクロバブル含有水を噴霧ダクトで植物の局所に対して微小水滴として吐出する。
【０００４】
特許文献１に記載の技術において、二酸化炭素マイクロバブル含有水供給装置は、サーモグラフィなどで葉温を測定し、葉温が所定値を超えたときに二酸化炭素マイクロバブル含有水を噴霧する。これによって、二酸化炭素マイクロバブル含有水供給装置は、植物が多くの光を受けているときに多くの二酸化炭素を供給し光合成を促進する。しかし、植物が光を受けて葉温が高い場合でも、水分が不足する水ストレスが生じているときは、植物は水分を保持するため気孔を閉鎖し、気孔から二酸化炭素が取り込まれず、光合成の速度が著しく低下する。そこで、水ストレスが生じ光合成を実際に行えない場合でも、最適な二酸化炭素の供給量の制御を行うことができる二酸化炭素施肥装置が求められていた。
【先行技術文献】
【特許文献】
【０００５】
【特許文献１】特開２０１１−５０２９３号公報
【発明の概要】
【発明が解決しようとする課題】
【０００６】
本発明の目的は、植物の光合成の状態に合わせて、最適な二酸化炭素の供給量の制御を行うことができる二酸化炭素施肥装置の提供を目的とする。
【課題を解決するための手段】
【０００７】
本発明の解決しようとする課題は以上の如くであり、次にこの課題を解決するための手段を説明する。
【０００８】
即ち、二酸化炭素施肥装置は、植物の葉脈部と葉身部との温度差に基づいて、植物の光合成の状態を判定し、植物の光合成の状態に基づいて、植物を生育させる施設内への二酸化炭素の供給量を制御するものである。
【０００９】
二酸化炭素施肥装置は、施設内の温度と植物の葉温との温度差に基づいて、植物の光合成の速度を判定し、時刻に基づいて植物の光合成の状態を判定し、植物の光合成の速度を指標として、植物の光合成の状態に基づいて、植物を生育させる施設内への二酸化炭素の供給量を制御するものである。
【００１０】
二酸化炭素施肥装置は、エンジン発電機と、エンジン発電機の廃熱回収手段と、エンジン発電機の排気ガスの二酸化炭素分離手段と、を備えたエネルギー供給装置により二酸化炭素を供給するものである。
【００１１】
二酸化炭素施肥装置は、植物の生育状態に応じて、葉脈部と葉身部との温度差を計測する対象の葉を変更するものである。
【発明の効果】
【００１２】
本発明は、以下に示すような効果を奏する。
【００１３】
二酸化炭素施肥装置においては、植物の光合成が実際に行われているか否かが判定される。これにより、植物の光合成の状態に合わせて、最適な二酸化炭素の供給量の制御を行うことができる。
【００１４】
二酸化炭素施肥装置においては、簡単な手法により植物の光合成を行うための外部環境が考慮されて、植物の光合成が実際に行われているか否かが判定される。これにより、植物の光合成の状態に合わせて、更に最適な二酸化炭素の供給量の制御を行うことができる。
【００１５】
二酸化炭素施肥装置においては、エンジンから生産される電力と熱と二酸化炭素とを利用するトリジェネレーションシステムにより二酸化炭素が植物に供給される。これにより、トリジェネレーションシステムを用いて、植物の光合成の状態に合わせて、最適な二酸化炭素の供給量の制御を行うことができる。
【００１６】
二酸化炭素施肥装置においては、植物の生育に効果的な位置の葉における、植物の光合成の状態が判定される。これにより、植物の光合成の状態に合わせて、最適な二酸化炭素の供給量の制御を行うことができる。
【図面の簡単な説明】
【００１７】
【図１】二酸化炭素施肥装置を備える農業施設を示す斜視図。
【図２】二酸化炭素施肥装置の全体構成を示す概略図。
【図３】二酸化炭素施肥装置の制御装置の構成を示す図。
【図４】葉の構成を示す図。
【図５】（ａ）水ストレスがない場合における葉の温度分布の状態を示す図、（ｂ）水ストレスがある場合における葉の温度分布の状態を示す図、（ｃ）水ストレスがない場合と水ストレスがある場合との温度の変化を示す図。
【図６】（ａ）葉の温度を計測している状態を示す図、（ｂ）植物が成長した場合のサーモカメラの移動を示す図。
【図７】トマトの実を大きくさせる場合の、葉の温度を計測している状態を示す図。
【図８】二酸化炭素の供給量の制御を表すフローチャートを示す図。
【図９】気温と葉温との温度差と、光合成速度との関係を示す図。
【００１８】
以下に、図１および図２を用いて、二酸化炭素施肥装置の一実施形態に係る二酸化炭素施肥装置１の全体構成について説明する。
【００１９】
農業施設２は、各種野菜、果物、花等の植物を生育させる施設である。具体的には、ビニールハウス、グラスハウスなどの閉塞された空間を形成するように構成された施設が挙げられる。
【００２０】
トリジェネレーション装置３は、農業施設２に電力、熱、および二酸化炭素を供給するものである。トリジェネレーション装置３は、農業施設２の近傍に設置される。トリジェネレーション装置３は、農業施設２の側面に沿って設けられている二酸化炭素供給経路４を通じて農業施設２内部へ二酸化炭素を供給している。トリジェネレーション装置３は、エンジン発電機５、エンジン発電機５の廃熱回収手段６、エンジン発電機５の排気ガスの二酸化炭素分離手段７等を具備する。なお、本実施形態においては、二酸化炭素供給手段としてトリジェネレーション装置３について説明を行うが、これに限定されるものではなく、二酸化炭素ボンベ等の二酸化炭素を供給できるものであればよい。
【００２１】
トリジェネレーション装置３が具備するエンジン発電機５は、エンジンの駆動力によって発電機を駆動して電力を生じるものである。エンジンとしては、排気ガスに二酸化炭素を含むものであれば、特に限定されるものではなく、例えば、バイオマスガスなどのガスを燃料とするガスエンジンを使用することができる。また、発電機によって得られた電力は、そのまま農業施設２内の照明等の各種電力負荷８に使用するものであってもよいし、不必要時に売電または蓄電池に蓄電し、必要に応じて使用するようになされたものであってもよい。
【００２２】
廃熱回収手段６は、エンジン発電機５の廃熱を回収するものである。廃熱回収手段６は、エンジン発電機５を冷却する冷却水循環経路９と、排気ガスからの廃熱を回収する排気ガス熱交換器１０と、エンジン発電機５および排気ガス熱交換器１０から回収した廃熱を貯湯槽１１からの水媒体と熱交換する廃熱熱交換器１２と、廃熱熱交換器１２で回収した廃熱を貯湯槽１１へ供給する廃熱回収経路１３とによって構成されている。
【００２３】
冷却水循環経路９は、エンジン発電機５を冷却した後の高温となった冷却水が、排気ガス熱交換器１０を通過してさらに高温となった後、廃熱熱交換器１２を通過する際、廃熱熱交換器１２において、貯湯槽１１からの水媒体と熱交換を行うように構成されている。熱交換後、低温となった冷却水は、ポンプ１４によって再度エンジン発電機５を冷却し、その後、排気ガス熱交換器１０から廃熱熱交換器１２へ循環を繰り返すように構成されている。
【００２４】
一方、廃熱回収経路１３は、貯湯槽１１から取り出した水媒体をポンプ１５によって廃熱熱交換器１２へ供給し、エンジン発電機５の廃熱を回収して高温のお湯とした後、貯湯槽１１の内部へ戻すように構成されている。貯湯槽１１に蓄熱され温水媒体は、熱供給経路１７を経由し暖房器１６へ送られ暖房器１６で放熱した後に、温度が低下した水媒体をポンプ１８によって、貯湯槽１１の内部へ戻される。このようにして、トリジェネレーション装置３は、農業施設２を暖房できる。
【００２５】
二酸化炭素分離手段７は、エンジン発電機５の排気ガスから二酸化炭素を分離し、農業施設２に供給するものである。二酸化炭素分離手段７は、エンジン発電機５から排気ガスを供給する排気ガス供給経路１９と、排気ガスを供給する方向を切り換える切換弁２０と、吸着剤を用いた圧力式分離方法（ＰＳＡ法）により二酸化炭素以外の成分を吸着する二酸化炭素分離装置２１と、二酸化炭素分離装置２１から二酸化炭素を供給する二酸化炭素供給経路４とによって構成されている。エンジン発電機５から大気解放される排気ガスは、切換弁２０によって二酸化炭素分離装置２１に排気ガスを供給する状態に切り換えることで、二酸化炭素分離装置２１により二酸化炭素が分離される。そして、二酸化炭素分離手段７は、農業施設内に設けた二酸化炭素供給ダクト２２から、二酸化炭素を供給できる。トリジェネレーション装置３は、農業施設２に二酸化炭素を供給することで、農業施設内で栽培する植物２３の光合成を促進することができる。
【００２６】
サーモカメラ撮影対象変更装置２４は、サーモカメラ２５の位置や撮影方向を変更して、サーモカメラ２５の撮影対象を変更するものである。サーモカメラ撮影対象変更装置２４は、計測する対象の植物２３の近傍に設けられている。サーモカメラ撮影対象変更装置２４は、サーモカメラ２５の上下の位置を変更可能、かつサーモカメラ２５の撮影方向を変更可能なアクチュエータを介してサーモカメラ２５が設けられている。なお、サーモカメラ撮影対象変更装置２４を台車やロボット等に設け、台車やロボット等を移動させて計測する対象の植物２３を変更可能な構成としてもよい。
【００２７】
サーモカメラ２５は、物体から放射される熱エネルギーの温度分布を撮影するものである。サーモカメラ２５は、植物２３の葉の温度分布を撮影し、サーモカメラ撮影対象変更装置２４により撮影対象となる植物２３の葉を変更可能に構成されている。サーモカメラ２５は、制御装置３１と接続され、撮影した温度分布は制御装置３１に送られる。
【００２８】
施設内温度計２６は、農業施設内の温度を検出するものである。施設内温度計２６は、制御装置３１と接続され、検出した温度は制御装置３１に送られる。
【００２９】
また、外気温度計２７、培地温度計２８、および二酸化炭素濃度計２９等のセンサーが農業施設２に設けられ、計測された情報が植物２３の生育に利用される。外気温度計２７は農業施設２の外部の温度を検出し、培地温度計２８は農業施設２の培地３０の温度を検出し、二酸化炭素濃度計２９は農業施設内の二酸化炭素濃度を検出する。外気温度計２７、培地温度計２８、および二酸化炭素濃度計２９は、制御装置３１と接続され、検出した値は、制御装置３１に送られる。
【００３０】
次に、図３を用いて、二酸化炭素施肥装置１が具備する制御装置３１について説明する。
【００３１】
制御装置３１は、植物２３の光合成の状態に合わせて、最適な二酸化炭素の供給量の制御を行うものである。制御装置３１は、実体的には、ＣＰＵ、ＲＯＭ、ＲＡＭ、ＨＤＤ等がバスで接続される構成であってもよく、あるいはワンチップのＬＳＩ等からなる構成であってもよい。制御装置３１は、制御するために種々のプログラムやデータが格納されている。
【００３２】
制御装置３１は、サーモカメラ２５に接続され、サーモカメラ２５が撮影した葉の温度分布を取得することができる。
【００３３】
制御装置３１は、入力装置３２に接続されている。入力装置３２には、キーボードやマウスが含まれており、オペレータによる入力に用いられる。
【００３４】
制御装置３１は、施設内温度計２６に接続され、施設内温度計２６が検出した農業施設内の温度を取得することができる。
【００３５】
制御装置３１は、時計４１に接続され、現時点の時刻を取得することができる。
【００３６】
制御装置３１は、エンジン発電機５に接続され、エンジン発電機５のエンジン負荷もしくは運転状態を制御することにより二酸化炭素の供給量を制御することができる。
【００３７】
制御装置３１は、切換弁２０に接続され、切換弁２０を切り換えることにより二酸化炭素の供給量を制御することができる。
【００３８】
制御装置３１は、サーモカメラ撮影対象変更装置２４に接続され、サーモカメラ２５の撮影対象を変更することができる。
【００３９】
次に、図４を用いて、葉の構成について説明する。なお、本実施例においては、植物２３はトマトであるものとして説明するが、これに限定されるものではなく、葉脈部３４と葉身部Ａと気孔３５とを備える植物２３であればよい。
【００４０】
葉３３は、植物２３の光合成や呼吸を行う器官である。葉３３は、葉脈部３４、葉身部Ａ、気孔３５等を備える。
【００４１】
葉脈部３４は、茎の維管束と連結して水や養分を供給し、デンプンなどの合成産物を運ぶものである。葉脈部３４は、葉３３の根元から先端へ中心になる葉脈部３４が走り、その途中で側方へ枝の葉脈部３４が伸びる。
【００４２】
葉身部Ａは、葉３３の本体であり植物２３の光合成の主要な場となっているものである。葉身部Ａは、茎から分かれて側方に伸びている部分である。葉身部Ａの内部に葉脈部３４が通っている。
【００４３】
気孔３５は、呼吸および蒸散のために、外部と気体の交換を行うものである。気孔３５は、葉３３の裏側の表皮に多く存在する。気孔３５は、２つの細胞（孔辺細胞）が唇型に向かい合った構造になっており、孔辺細胞の形が変化することによって、気孔３５の大きさが調節される。二酸化炭素は、主に気孔３５を通じて供給される。さらに、葉３３の内部で行われた植物２３の光合成により生じた酸素も気孔３５より排出されるほか、蒸散による空気中への水蒸気の放出も同様に、主に気孔３５を通じて行われる。気孔３５の開閉を調節する要素の一つに水がある。具体的には、植物２３は、水ストレスがある場合、気孔３５を閉じることで蒸散を抑え体内の水分減少を遅らせる。水ストレスとは、水分が不足するときに植物２３が受けるストレスであり、土壌が乾燥している場合や、湿度が適正湿度より低下している場合に生じる。
【００４４】
次に、図５を用いて水ストレスがない場合と水ストレスがある場合との、葉３３の温度について説明する。なお、葉３３は光合成に必要な光を受けているものとする。
【００４５】
図５（ａ）に示すように、水ストレスがない場合、サーモカメラ２５で撮影した葉の温度分布は、濃い色ほど高い温度であること表している。葉身部Ａにある気孔が開いており蒸散が行われているため、葉身部Ａは葉脈部３４に比べて温度が低くなる。
【００４６】
図５（ｂ）に示すように、水ストレスがある場合、サーモカメラ２５で撮影した葉の温度分布も、水ストレスがない場合と同様に濃い色ほど高い温度であること表している。葉３３は、気孔を閉じて蒸散を抑えるため、葉脈部３４と葉身部Ａの温度が共に上昇し、温度差が減少する。
【００４７】
図５（ｃ）に示すように、グラフにより水ストレスがない場合と水ストレスがある場合とについて、葉脈部３４と葉身部Ａとの温度を比較する。葉３３は、水ストレスがない場合、気温よりも葉脈部３４の温度が高く、葉身部Ａの温度は気温よりやや高い状態となる。葉３３は、水ストレスがある場合、葉脈部３４と葉身部Ａの温度が共に上昇し、温度差が減少する。これは、水ストレスがある場合、水分を保持するために気孔が閉鎖して、蒸散による潜熱伝達量が減少するためである。水ストレスがない場合と水ストレスがある場合とを比較すると、葉脈部３４と葉身部Ａの温度差が減少する（両矢印Ｂ参照）。
【００４８】
次に、制御装置３１が行う二酸化炭素の供給量の制御について説明する。
【００４９】
制御装置３１は、時計４１から取得する現時点の時刻に基づいて、光合成可能時間か否かを判定する。光合成可能時間とは、日中の時間であり、例えば６時から１８時である。制御装置３１は、光合成可能時間ではなく、植物２３が光合成を行っていないと判定した場合、エンジン発電機５のエンジン負荷を減少させる制御、または切換弁２０の切り換えを行うことにより、二酸化炭素の供給量を減少または供給を遮断させる。なお、光合成可能時間は、季節や地域によって日の出および日没時間が変わるため、オペレータにより光合成可能時間を任意に設定可能な構成としてもよいし、制御装置３１が季節に応じて自動的に光合成可能時間を設定する構成としてもよい。
【００５０】
制御装置３１は、光合成可能時間の場合、サーモカメラ２５で撮影した温度分布の画像（図５（ａ）および図５（ｂ）参照）から、画像認識により葉脈部３４と葉身部Ａとの位置を判定する。制御装置３１は、水ストレスがある場合、葉脈部３４と葉身部Ａとの温度差が小さくなるため、葉脈部３４と葉身部Ａとの温度差に基づいて、水ストレスがあるか否か、つまり植物２３が光合成を行っているか否か（蒸散の有無）を判定する。
【００５１】
制御装置３１は、水ストレスがなく植物２３が光合成を行っている（蒸散あり）と判定した場合、サーモカメラ２５が撮影した画像から葉温を計測する。制御装置３１は、画像認識により葉と認識した部分の平均温度を葉温として算出する。気温（植物２３が施設内にある場合は、施設内の温度）と葉温との温度差が植物２３の光合成の速度と正の相関があるため、制御装置３１は、農業施設内の温度と葉温との温度差に基づいて、植物２３の光合成の速度を判定する。制御装置３１は、判定した植物２３の光合成の速度を指標として、エンジン発電機５のエンジン負荷もしくは運転状態の制御、または切換弁２０の切り換えを行うことにより、二酸化炭素の供給量を制御する。
【００５２】
制御装置３１は、水ストレスがあり植物２３が光合成を行っていない（蒸散なし）と判定した場合、制御装置３１は、エンジン発電機５のエンジン負荷を減少させる制御、または切換弁２０の切り換えを行うことにより、二酸化炭素の供給量を減少、または供給を遮断させる。これにより、制御装置３１は、実際の光合成の状態に合わせて、適量の二酸化炭素を植物２３に供給する。
【００５３】
このように構成することで、二酸化炭素施肥装置１は、簡単な手法により植物２３の光合成を行うための外部環境を考慮し、植物２３の葉脈部３４と葉身部Ａとの温度差に基づいて、植物２３の光合成の実施状況が判定される。また、エンジンの排気ガスに含まれる二酸化炭素が植物２３に供給される。これにより、トリジェネレーションシステムを用いて、適切な二酸化炭素の供給量の制御を行うことができる。
【００５４】
次に、図６および図７を用いて、サーモカメラ２５の撮影方法について説明する。
【００５５】
図６に示すように、サーモカメラ２５は、トマト３６の葉の裏側を撮影している。サーモカメラ２５は、トマト３６の茎を成長させる場合、成長点３８（茎の先端部）付近の光合成を促すことが効果的であるため、成長点３８付近の葉３７ａを撮影している（図６（ａ）参照）。オペレータは、トマト３６の茎が成長した場合、入力装置３２を操作してサーモカメラ２５を上に移動させ（矢印Ｃ参照）、サーモカメラ２５の撮影対象を成長点３８付近である葉３７ｂに変更する（図６（ｂ）参照）。制御装置３１は、トマト３６の茎や根の成長に適した位置の葉の光合成状態に基づいて、二酸化炭素の供給量を制御することで、トマト３６の茎や根の成長を促進させる。
【００５６】
図７に示すように、サーモカメラ２５は、結実したトマト３６の葉の裏側を撮影している。トマト３６の実を大きくするため、トマト３６の実の位置を基準として上下の葉の光合成を促すことが効果的である。そのため、オペレータは、トマト３６の実３９を大きくする場合、入力装置３２を操作し、サーモカメラ２５の撮影対象をトマト３６の実３９の位置を基準として上の葉３７ｃにする。制御装置３１は、トマト３６の実３９の成長に適した位置の葉の光合成状態に基づいて、二酸化炭素の供給量を制御することで、トマト３６の実３９の成長を促進する。
【００５７】
このように構成することで、二酸化炭素施肥装置１は、植物２３の生育に重要な葉の植物２３の光合成の実施状況が判定される。これにより、植物２３の光合成の状態に合わせて、適切な二酸化炭素の供給量の制御を行うことができる。
【００５８】
次に、図８および図９を用いて、二酸化炭素施肥装置１の制御装置３１における二酸化炭素の供給量の制御について具体的に説明する。
【００５９】
ステップＳ１００において、制御装置３１は、時刻から光合成可能時間帯か否かを判断する。
その結果、光合成可能時間帯であると判定された場合、制御装置３１はステップＳ１１０に移行させる。
一方、光合成可能時間帯でないと判定された場合、制御装置３１はステップＳ１７０に移行させる。
【００６０】
ステップＳ１１０において、制御装置３１は、葉脈部３４と葉身部Ａとの温度差があるか否かを判断する。なお、この判断においては閾値が設定されており、制御装置３１は、閾値以上の温度差があるか否かを判断する。
その結果、葉脈部３４と葉身部Ａとの温度差があると判定された場合、制御装置３１はステップＳ１２０に移行させる。
一方、葉脈部３４と葉身部Ａとの温度差がないと判定された場合、制御装置３１はステップＳ１６０に移行させる。
【００６１】
ステップＳ１２０において、制御装置３１は、植物２３の水ストレスがないと判定しステップＳ１３０に移行させる。
【００６２】
ステップＳ１３０において、制御装置３１は、植物２３が光合成を行っていると判定しステップＳ１４０に移行させる。
【００６３】
ステップＳ１４０において、制御装置３１は、農業施設内の温度と葉温との温度差に基づいて判定される光合成速度を指標として、二酸化炭素の供給量を算出しステップＳ１５０に移行させる。例えば、制御装置３１は、気温と葉温との温度差と、光合成速度との関係（図９参照）に基づいて、光合成速度が速くなるように二酸化炭素の供給量を算出する。
【００６４】
ステップＳ１５０において、制御装置３１は、Ｓ１４０で算出した供給量の二酸化炭素を供給する制御を行い二酸化炭素施肥装置１の制御の処理を終了させる。
【００６５】
ステップＳ１６０において、制御装置３１は、植物２３の水ストレスがあると判定しステップＳ１７０に移行させる。
【００６６】
ステップＳ１７０において、制御装置３１は、植物２３が光合成を行っていないと判定しステップＳ１８０に移行させる。
【００６７】
ステップＳ１８０において、制御装置３１は、二酸化炭素の供給量を減少させる制御、または供給を遮断する制御を行い二酸化炭素施肥装置１の制御の処理を終了させる。
【００６８】
上述の実施形態は、代表的な形態を示したに過ぎず、一実施形態の骨子を逸脱しない範囲で種々変形して実施することができる。さらに種々なる形態で実施し得ることは勿論のことであり、本発明の範囲は、特許請求の範囲の記載によって示され、さらに特許請求の範囲に記載の均等の意味、および範囲内のすべての変更を含む。
【符号の説明】
【００６９】
２３    植物
３４    葉脈部
Ａ    葉身部
【図１】
2018117539.tif 000003
【図２】
2018117539.tif 000004
【図３】
2018117539.tif 000005
【図４】
2018117539.tif 000006
【図５】
2018117539.tif 000007
【図６】
2018117539.tif 000008
【図７】
2018117539.tif 000009
【図８】
2018117539.tif 000010
【図９】
2018117539.tif 000011